(57)【要約】      （修正有）【課題】強風に煽られたような場合でも、テントの振動や移動を防止し、変形や破損を回避することができて安全な折り畳み式テントを提供する。【解決手段】３本以上の支柱２と、各々の一端部が各支柱の一端部に回転可能に連結され、各々の他端部がルーフバー連結部４を介して相互に回転可能に連結される複数のルーフバー３と、複数のルーフバーに装着された天幕５と、天幕のルーフバー連結部の近傍領域に設けられた開口部と、ルーフバー連結部に固定され、開口部を覆うとともに、天幕との間で空気が通過可能に重畳するカバー６とを備える。【選択図】図２
0003159598.tif 000002
【実用新案登録請求の範囲】
【請求項１】
３本以上の支柱と、
各々の一端部が各支柱の一端部に回転可能に連結され、各々の他端部がルーフバー連結部を介して相互に回転可能に連結される複数のルーフバーと、
前記複数のルーフバーに装着された天幕と、
該天幕の前記ルーフバー連結部の近傍領域に設けられた開口部と、
前記ルーフバー連結部に固定され、前記開口部を覆うとともに、前記天幕との間で空気が通過可能に重畳するカバーとを備えることを特徴とする折り畳み式テント。
【請求項２】
前記カバーは、前記天幕に着脱可能に重畳されることを特徴とする請求項１に記載の折り畳み式テント。
【請求項３】
前記天幕は、前記ルーフバーに相対移動可能に装着されることを特徴とする請求項１又は２に記載の折り畳み式テント。
【請求項４】
前記カバーは、前記天幕に面ファスナーを介して着脱可能に重畳されることを特徴とする請求項２又は３に記載の折り畳み式テント。
【考案の詳細な説明】
【技術分野】
【０００１】
本考案は、キャンプや屋外での催し等の際に利用される折り畳み式テントに関する。
【背景技術】
【０００２】
折り畳み式テントは、持ち運びに便利で、図３に示すように、支柱１２で支持されたルーフバー１３を広げ、その上に天幕１４を拡げることで簡単に広い場所を覆うことができるため、キャンプ等に好適に用いられる。このような折り畳み式テントとして、取り扱い易さや風荷重に対する抵抗力等を考慮して種々のものが提案されている（例えば、特許文献１、２参照）
【先行技術文献】
【特許文献】
【０００３】
【特許文献１】特開２００５−２９０８３７号公報
【特許文献２】特開２０１０−０１３７９６号公報
【考案の概要】
【考案が解決しようとする課題】
【０００４】
しかし、図３に示すような従来の折り畳み式テント１１では、強風に煽られると、振動して変形したり、破損したり、全体が持ち上げられて周囲に危険を及ぼす虞があるという問題があった。
【０００５】
そこで、本考案は、上記従来の折り畳み式テントにおける問題点に鑑みてなされたものであって、強風に煽られたような場合でも、テントの振動や移動を防止し、変形や破損を回避することができて安全な折り畳み式テントを提供することを目的とする。
【課題を解決するための手段】
【０００６】
上記目的を達成するため、本考案は、折り畳み式テントであって、３本以上の支柱と、各々の一端部が各支柱の一端部に回転可能に連結され、各々の他端部がルーフバー連結部を介して相互に回転可能に連結される複数のルーフバーと、前記複数のルーフバーに装着された天幕と、該天幕の前記ルーフバー連結部の近傍領域に設けられた開口部と、前記ルーフバー連結部に固定され、前記開口部を覆うとともに、前記天幕との間で空気が通過可能に重畳するカバーとを備えることを特徴とする。
【０００７】
そして、本考案によれば、ルーフバー連結部の近傍の天幕領域に開口部を穿設し、天幕に重畳したカバーとの間を空気が通過可能に構成したため、強風に煽られた場合でも、天幕とカバーとの間を空気が吹き抜け、テントの振動や移動を防止し、変形や破損等を回避することができる。
【０００８】
上記折り畳み式テントにおいて、前記カバーを前記天幕に着脱可能に重畳することができる。これによって、取り扱いがより容易になるとともに、風荷重の大きさに応じて開口部の大きさを変化させ、より確実にテントの振動等を防止することができる。
【０００９】
また、上記折り畳み式テントにおいて、前記天幕を前記ルーフバーに相対移動可能に装着することができ、これにより、従来の折り畳み式テントと同様に、簡単に折り畳んだり、拡げたりすることができる。
【００１０】
さらに、上記折り畳み式テントにおいて、前記カバーを、前記天幕に面ファスナーを介して着脱可能に重畳することができ、極めて容易に着脱作業を行うことができる。
【考案の効果】
【００１１】
以上のように、本考案によれば、強風に煽られたような場合でも、テントの振動や移動を防止し、変形や破損を回避することができて安全な折り畳み式テントを提供することができる。
【図面の簡単な説明】
【００１２】
【図１】本考案にかかる折り畳み式テントの一実施の形態を示す図であって、（ａ）は正面図、（ｂ）は上面図である。
【図２】図１の折り畳み式テントのルーフバー連結部近傍を示す概略拡大図であって、（ａ）は上面図、（ｂ）は（ａ）のＡ−Ａ断面図、（ｃ）は（ａ）のＢ−Ｂ断面図、（ｄ）は（ｂ）においてルーフバーを閉じた状態を示す概略断面図である。
【図３】従来の折り畳み式テントの一例を示す図であって、（ａ）は正面図、（ｂ）は上面図である。
【考案を実施するための形態】
【００１３】
次に、本考案を実施するための形態について、図面を参照しながら詳細に説明する。
【００１４】
図１は、本考案にかかる折り畳み式テントの一実施の形態を示し、地面に立設した状態を示す。この折り畳み式テント１は、大別して、４本の支柱２と、各々の一端部が各支柱２の上端部に回転可能に連結される４本のルーフバー３と、各ルーフバー３が相互に回転可能となるように、各ルーフバー３の他端と連結されるルーフバー連結部４と、４本のルーフバー３上に装着された天幕５と、ルーフバー連結部４の近傍に穿設された開口部を覆うカバー６とで構成される。
【００１５】
上記構成を有する折り畳み式テント１のフレーム構造は、本考案の特徴部分ではないため、図示を省略するが、例えば、各ルーフバー３を、２本のバーをヒンジ構造の連結具で連結して中間部が折れるように構成し、隣接する支柱２の各々をスライド式の連結具と、長さ可変式の連結バーとで連結して構成することにより、折り畳み式テント１を折り畳み可能に構成することができる。
【００１６】
次に、図２を参照しながら、本考案の特徴部分である、ルーフバー連結部４近傍の天幕５に穿設した開口部５ａ、及びこの開口部５ａを覆うカバー６について説明する。
【００１７】
図２（ａ）、（ｂ）に示すように、４本のルーフバー３がヒンジ３ａを介してルーフバー連結部４に回転可能に連結され、これらに４本のルーフバー３に天幕５が装着される。天幕５に固着され、布等からなる筒状の天幕保持部１０の中をルーフバー３が挿通することで、天幕５は、ルーフバー３に相対移動可能に装着される。天幕５は、ルーフバー連結部４まで達することなく、天幕５のルーフバー連結部４近傍の部分には、図２（ａ）に示すように、上面視正方形状の開口部５ａが形成される。
【００１８】
カバー６は、上面視正方形状で天幕５と同様の材質からなり、上記天幕５の開口部５ａを覆うように天幕５に重畳される。カバー６の中央部はルーフバー連結部４に固着される。カバー６の四隅には、面ファスナー８が貼着され、天幕５の表面の対向位置に貼着された面ファスナー９と接合され、天幕５の隅部が天幕５に強固に固着される。天幕５とカバー６との重畳長さは、雨天の場合に折り畳み式テント１内に雨水が吹き込まないように、充分な長さを確保する。
【００１９】
上記構成を有する折り畳み式テント１を図１に示す状態で使用している際に強風に煽られたとしても、図２（ｃ）に示すように、天幕５とカバー６との間に隙間７が形成されるため、この隙間７を空気が通過することができる。これにより、折り畳み式テント１の振動や移動を防止し、変形や破損を回避することができる。
【００２０】
また、風の強さに応じて、天幕５及びカバー６に各々設けられる面ファスナ８、９を着脱することにより、隙間７の大きさを変化させることができ、例えば、強風の場合には、一部の面ファスナ８、９の貼り合わせを解除することで、隙間７を大きくし、通風量を大きくして折り畳み式テント１の移動を防止することもできる。
【００２１】
一方、折り畳み式テント１を使用しない時には、天幕５は、天幕保持部１０を介して各ルーフバー３に相対移動可能に装着されているため、ルーフバー３をヒンジ３ａを介してルーフバー連結部４を中心にして回転させた場合でも、各ルーフバー３の動きに天幕５が追従して円滑に移動し、従来の折り畳み式テント同様、図２（ｄ）に示すように、天幕５及びカバー６をルーフバー３及びルーフバー連結部４に装着したまま簡単に折り畳むことができる。
【符号の説明】
【００２２】
１  折り畳み式テント
２  支柱
３  ルーフバー
３ａ  ヒンジ
４  ルーフバー連結部
５  天幕
５ａ  開口部
６  カバー
７  隙間
８、９  面ファスナ
１０  天幕保持部
【図１】
0003159598.tif 000003
【図２】
0003159598.tif 000004
【図３】
0003159598.tif 000005